(57)【要約】      （修正有）【課題】介護が必要な方の体に負担がかからないようにする事が出来る移動介助椅子を提供する。【解決手段】背部７を座部に対して回転可能にする回転軸９を備えた移動介助椅子において移動介助椅子の背部７を寝せると平らに出来、背部７を起こすと椅子の形状に固定出来る。移動介助椅子の座部が中央座部５とトイレ兼用座部６を備え移動介助椅子と中央座部５を車椅子・ベッド・ソファー・トイレ・車に固定ベルトで固定出来、移動介助椅子と中央座部５の組み合わせにより移動する時中央座部５を開けた形状が出来そのままトイレの上にも乗せることができ、また安全ベルトで介助を必要とする方を固定する事が出来る構造とした。【選択図】図１
0003188082.tif 000002
【実用新案登録請求の範囲】
【請求項１】
移動介助椅子・移動介助椅子トイレ兼用とを平面に展開し被介護者を移乗させた後、安定したＬ字型の状態にして、被介護者を乗せたまま車椅子・ベッド・ソファー・トイレ・車に移動出来、車椅子・車・ソファー・ベッドに移動介助椅子トイレ兼用の背もたれの角度を合わせる事が出来、移動介助椅子・移動介助椅子トイレ兼用を固定する事が出来ます。
【請求項２】
トイレを使用するために移動介助椅子トイレ兼用が、移動する時中央座部を容易に開けることが出来、移動介助椅子トイレ兼用ごとそのまま洋式トイレに上から重ね容易に使用する事が出来る事を特徴とした請求項１記載の移動介助椅子トイレ兼用。
【請求項３】
移動介助椅子トイレ兼用中央座部(６)を、移動介助椅子・車椅子・ソファー・ベッド・車にも固定出来、開閉が出来る移動介助椅子中央座部(６)と移動介助椅子トイレ兼用座部(５)の中央部分両サイドから高さを合わせ足の根元を固定する安全ベルトも使用することが出来る事を特徴とする請求項１記載の移動介助椅子トイレ兼用。
【考案の詳細な説明】
【技術分野】
【０００１】
本考案は車椅子からベッドやソファー・車・トイレに自力で移動する事が困難で介助を必要とする方が移動される時、スムーズに移動が出来るようにする為の移動介助椅子に関するものである。
【背景技術】
【０００２】
自力での移動が困難で介護を必要とされている方が(怪我や手術後・骨粗鬆症)移動介助のもとで移動される時、体に負担がかかり苦痛を感じる時が有るという問題点が有りました。
【考案の概要】
【考案が解決しようとする課題】
【０００３】
自力での移動が困難で介助が必要な方が、車椅子からベッド・トイレ・ソファー・車に一日に何度も移動される事もあります。車椅子からベッド・トイレ・ソファー・車に介助して移動する時、体の肩下・脇下・腕の付け根部分から背中などを持たれたり支えられたり抱きかかえるように介助されることも有りますが苦痛を感じられる時もあります。
【０００４】
ズボン両サイドを持って移動介助をする時もありますがズボンがくいこんでしまうと言う問題点が有りました。
【０００５】
介護が必要な方を介助している時、どこをお持ちしたら介護が必要な方が苦痛を感じずに介助できるか常に考え介助しますが体調を壊してある時など、体のどこをお持ちしてもささえても苦痛を感じられる時があるという問題点が有りました。
【０００６】
介護が必要な方が苦痛を感じられる可能性がある部分を持ち上げたり負担をかけたりせずに安全に体を移動する事が必要です。
【課題を解決するための手段】
【０００７】
ベッドから車椅子に移動する時、移動介助椅子をベッドの上に平面的に展開し、その上に被介護者が寝たまま移乗するように介助する。移動介助椅子に移乗した後に、移動介助椅子の後部を起こし、安定したL字型の座椅子の状態にする。座椅子状にした移動介助椅子を介護者が持って、移動介助椅子に被介護者を乗せたまま、車椅子の座部に移動させる。
【０００８】
このようにして移乗のために自分の体重を抱え上げるための力を受けることなく、被介護者はベッドから車椅子へ移乗することができるようになる。  車椅子からベッドへ移乗する時は、上記とは逆の順序で作業を行えばよい。
【０００９】
移動介助椅子に座ったままで移動介助椅子ごと移動する事により被介護者の体に負担をかけずに車椅子・車・トイレ・ソファー・ベッドに移動する事ができます。
【００１０】
移動介助椅子が安定しているため、被介護者の移動介助が容易に出来ます。車椅子から車・トイレ・ソファー・ベッドに移動する時、被介護者が苦痛を感じる時があり体に負担をかける時がありましたが、移動介助車椅子を使用する事によって被介護者が苦痛を感じられる体の部分に負担をかける事がなく移動介助できます。
【図面の簡単な説明】
【００１１】
【図１】移動介助椅子トイレ兼用横から見た図
【図２】移動介助椅子トイレ兼用中央座部図
【図３】移動介助椅子トイレ兼用中央座部横から見た図
【図４】移動介助椅子使用図
【図５】移動介助椅子安全ベルト斜め掛け後ろから見た図
【図６】移動介助椅子横から見た図(中央座部を設けていない移動介助椅子図)
【図７】移動介助椅子(形・持ちかた可能例)
【図８】移動介助椅子トイレ兼用、トイレ使用時の移動介助椅子図
【図９】移動介助椅子固定ベルト図
【図１０】車のシートベルトで移動介助椅子を固定する方法図
【図１１】移動介助椅子に備える安全ベルト方法図
【図１２】移動介助椅子に備える安全ベルト方法図
【図１３】移動介助椅子に備える安全ベルト方法図
【図１４】移動介助椅子を介護者が二人で持つ為の安全ベルト図
【図１５】移動介助椅子を介護者が持つときの安全ベルト方法図
【考案を実施するための形態】
【実施例】
【００１２】
図１は、移動介助椅子(トイレ兼用タイプ)横から見た図です。１は、安全ベルト足付け根部分です。２は、安全ベルト腰部分です。また斜めに肩から腰にかける方法とクロスにする方法も良いです。３は安全ベルト介護者が介助する時の肩掛け部分です。移動介助椅子は移動する時二人でも介助する事が出来ます。二人で介助する時に移動する距離が長い場合などは、移動介助椅子左右両脇に安全ベルトを付ける方法も良いです。４は移動介助椅子持ち座部部分です。５は、移動介助椅子トイレ座部部分６は、移動介助椅子中央座部です。７は、移動介助椅子背部分です。９は、回転軸です。１２は、背もたれ部分に設けた移動介助椅子持ちです。
【００１３】
図２は、６移動介助椅子使用時、車椅子や車・ベッド・ソファーに付ける移動介助椅子トイレ兼用中央座部です。移動介助椅子に中央座部を付けトイレ使用の時だけ外す方法も良いです。１は、安全ベルトは足付け根部分を固定する時に使用します。安全ベルト足付け根部分を備える方向は、５移動介助椅子トイレ兼用座部部分方向からでも良いです。１０は、移動介助椅子固定紐またはベルト。
【００１４】
図３は移動介助椅子トイレ兼用中央座部横から見た図です。
【００１５】
図４は、は移動介助椅子使用方法図です。 (二人でも介助出来ます。)
【００１６】
図５は、移動介助椅子３安全ベルトを、介護者が斜めに肩に掛けた図です。(クロスに肩に掛ける方法も良いです。)
【００１７】
図６は、移動介助椅子中央座部を備えていない座部です。
【００１８】
図７は、移動介椅子、形・持ちかた可能例(両サイドは持ち手可能例、下中央くぼみは介護者が足を入れる部分での使用も可能例)
【００１９】
図８は、移動介助椅子トイレ兼用座部、トイレ使用時は洋式トイレにそのまま上から移動介助椅子ごと乗せるだけで容易にトイレが使用出来ます。
【００２０】
図９は、移動介助椅子固定ベルト部分１１は固定ベルト背もたれ部分、位置は背もたれ部分に設けたが、座部部分や他の位置に設けても良い。
【００２１】
図１０は、移動介助椅子を固定する方法として車に備えられたシートベルトを移動介助椅子の背もたれ部分の後ろ側から、または座部の下側と背もたれ部分の間にかけて設けた通し穴と、また開口部を通して固定する方法も良い。
【００２２】
図１１は、移動介助椅子安全ベルト図です。足部分と腰・肩から胸部分三か所を一度に安全ベルトが出来る方法も良い。
【００２３】
図１２は、移動介助椅子安全ベルト図です。肩から腰部分を一度に安全ベルトが出来、足の付け根部分も安全ベルトが出来る方法も良い。
【００２４】
図１３は、移動介助椅子安全ベルト図です。肩から腰にかけて斜めに安全ベルトが出来、足の付け根も安全ベルトが出来る方法も良い。
【００２５】
図１４は移動介助椅子安全ベルト図です。二人で介助する時両方から介助出来るように安全ベルトを移動介助椅子の座部両サイドに設け、また背もたれ部に設けても良い。
【００２６】
図１５は、移動介助椅子安全ベルト図です。背中でも移動介助椅子をからう事が出来、移動介助椅子の後ろからでも持つことが出来ます。
【符号の説明】
【００２７】
１、安全ベルト足付け根部分
２、安全ベルト腰部分
３、安全ベルト(介護者用)肩掛け部分
４、移動介助椅子持ち部分
５、移動介助椅子トイレ兼用座部
６、移動介助椅子トイレ兼用中央座部
７、移動介助車椅子背部分
８、移動介助椅子座部・中央座部を備えていない移動介助椅子
９、移動介助椅子回転軸
１０、移動介助椅子中央座部固定紐(ベルト)
１１、移動介助椅子固定ベルト
１２、移動介助椅子持ち背もたれ部分
【図１】
0003188082.tif 000003
【図２】
0003188082.tif 000004
【図３】
0003188082.tif 000005
【図４】
0003188082.tif 000006
【図５】
0003188082.tif 000007
【図６】
0003188082.tif 000008
【図７】
0003188082.tif 000009
【図８】
0003188082.tif 000010
【図９】
0003188082.tif 000011
【図１０】
0003188082.tif 000012
【図１１】
0003188082.tif 000013
【図１２】
0003188082.tif 000014
【図１３】
0003188082.tif 000015
【図１４】
0003188082.tif 000016
【図１５】
0003188082.tif 000017
【手続補正書】
【提出日】平成25年5月2日(2013.5.2)
【手続補正１】
【補正対象書類名】図面
【補正対象項目名】図２
【補正方法】変更
【補正の内容】
【図２】
0003188082.tif 000018
【手続補正２】
【補正対象書類名】図面
【補正対象項目名】図４
【補正方法】変更
【補正の内容】
【図４】
0003188082.tif 000019
【手続補正３】
【補正対象書類名】図面
【補正対象項目名】図５
【補正方法】変更
【補正の内容】
【図５】
0003188082.tif 000020
【手続補正４】
【補正対象書類名】図面
【補正対象項目名】図９
【補正方法】変更
【補正の内容】
【図９】
0003188082.tif 000021
【手続補正５】
【補正対象書類名】図面
【補正対象項目名】図１０
【補正方法】変更
【補正の内容】
【図１０】
0003188082.tif 000022
【手続補正書】
【提出日】平成25年7月25日(2013.7.25)
【手続補正１】
【補正対象書類名】実用新案登録請求の範囲
【補正対象項目名】全文
【補正方法】変更
【補正の内容】
【実用新案登録請求の範囲】
【請求項１】
背部と座部と背部を座部に対して回転可能にする回転軸を備えた移動介助椅子において移動介助椅子の背部を寝せると平らに出来、背部を起こすと椅子の形状に固定出来る事を特徴とする移動介助椅子。
【請求項２】
移動介助椅子の座部が中央座部とトイレ兼用座部を備え移動介助椅子と中央座部を車椅子・ベッド・ソファー・トイレ・車に固定ベルトで固定出来、移動介助椅子と中央座部の組み合わせにより移動する時中央座部を開けた形状が出来そのままトイレの上にも乗せることができ、また安全ベルトで介助を必要とする方を固定する事が出来る構造を特徴とした請求項１記載の移動介助椅子。